【手続補正書】
【提出日】平成29年11月14日(2017.11.14)
【手続補正１】
【補正対象書類名】特許請求の範囲
【補正対象項目名】全文
【補正方法】変更
【補正の内容】
【特許請求の範囲】
【請求項１】
画像データの受信を禁止する電話番号を記憶する第１の記憶手段と、
ユーザからの印刷指示なしに画像データを印刷する電話番号を記憶する第２の記憶手段と、
通信相手の電話番号が前記第１の記憶手段に記憶されている場合、画像データの受信を禁止し、通信相手の電話番号が前記第２の記憶手段に記憶されている場合、画像データを受信し、受信した画像データをユーザからの印刷指示なしに印刷し、通信相手の電話番号が前記第１の記憶手段にも前記第２の記憶手段にも記憶されていない場合、画像データを受信し、受信した画像データをユーザからの印刷指示に従って印刷するよう制御する制御手段と、
を有することを特徴とする印刷装置。
【請求項２】
前記制御手段は、通信相手の電話番号が前記第１の記憶手段に記憶されている場合、画像データを受信する前に回線を切断するよう制御することを特徴とする請求項１に記載の印刷装置。
【請求項３】
前記制御手段は、通信相手の電話番号が前記第１の記憶手段にも前記第２の記憶手段にも記憶されていない場合、受信した画像データを保存手段に保存するよう制御することを特徴とする請求項１または２に記載の印刷装置。
【請求項４】
前記保存手段に保存された画像データを表示する表示手段をさらに備えることを特徴とする請求項３に記載の印刷装置。
【請求項５】
前記制御手段は、前記保存手段によって保存された画像データを印刷するための印刷指示をユーザから受け付けたことに従って、当該画像データを送信した通信相手の電話番号を、前記第２の記憶手段へ新たに記憶することを特徴とする請求項３または４に記載の印刷装置。
【請求項６】
前記保存手段によって保存された画像データを印刷するための印刷指示をユーザから受け付けたことに従って、当該画像データを送信した通信相手の電話番号を、ユーザからの印刷指示なしに画像データを印刷する電話番号として登録するか否かをユーザに問合せるための第１の問合せ画面を表示する第２の表示手段を有し、
前記制御手段は、前記第１の問合せ画面を介したユーザからの選択に従って、当該画像データを送信した通信相手の電話番号を、前記第２の記憶手段へ新たに記憶することを特徴とする請求項５記載の印刷装置。
【請求項７】
前記保存手段によって保存された画像データを削除するための削除指示をユーザから受け付けたことに従って、前記第１の記憶手段は、当該画像データを送信した通信相手の電話番号を新たに記憶することを特徴とする請求項３または４に記載の印刷装置。
【請求項８】
前記保存手段によって保存された画像データを削除するための削除指示をユーザから受け付けたことに従って、当該画像データを送信した通信相手の電話番号を、画像データの受信を禁止する電話番号として登録するか否かをユーザに問い合わせるための第２の問合せ画面を表示する第３の表示手段を有し、
前記制御手段は、前記第２の問合せ画面を介したユーザからの選択に従って、当該画像データを送信した通信相手の電話番号を、前記第１の記憶手段へ新たに記憶することを特徴とする請求項７記載の印刷装置。
【請求項９】
画像データの受信を禁止する電話番号を記憶する第１の記憶手段と、
ユーザからの印刷指示なしに画像データを印刷する電話番号を記憶する第２の記憶手段と、
通信相手の電話番号が前記第１の記憶手段に記憶されている場合、画像データの受信を禁止し、通信相手の電話番号が前記第１の記憶手段に記憶されている場合、画像データを受信し、受信した画像データをユーザからの印刷指示なしに印刷し、通信相手の電話番号が前記第１の記憶手段にも前記第２の記憶手段にも記憶されていない場合、画像データを受信し、受信した画像データをユーザからの転送指示に従って転送するよう制御する制御手段と、
を有することを特徴とする印刷装置。
【請求項１０】
画像データの受信を禁止する電話番号を記憶する第１の記憶手段と、
ユーザからの印刷指示なしに画像データを印刷する電話番号を記憶する第２の記憶手段と、
通信相手の電話番号が前記第１の記憶手段にも前記第２の記憶手段にも記憶されていない場合に行う処理を、複数の処理の中から選択する選択手段と、
通信相手の電話番号が前記第１の記憶手段に記憶されている場合、画像データの受信を禁止し、通信相手の電話番号が前記第２の記憶手段に記憶されている場合、画像データを受信し、受信した画像データをユーザからの印刷指示なしに印刷し、通信相手の電話番号が前記第１の記憶手段にも前記第２の記憶手段にも記憶されていない場合、前記選択手段により選択された処理を画像データに対して行うよう制御する制御手段と、
を有することを特徴とする印刷装置。
【請求項１１】
前記選択手段は、通信相手からの画像データの保存と、通信相手からの画像データの外部への転送、を少なくとも選択可能であることを特徴とする請求項１０記載の印刷装置。
【請求項１２】
画像データの受信を禁止する電話番号を記憶する第１の記憶手段と、
ユーザからの印刷指示なしに画像データを印刷する電話番号を記憶する第２の記憶手段とを有する印刷装置の制御方法であって、
通信相手の電話番号が前記第１の記憶手段に記憶されている場合、画像データの受信を禁止し、通信相手の電話番号が前記第２の記憶手段に記憶されている場合、画像データを受信し、受信した画像データをユーザからの印刷指示なしに印刷し、通信相手の電話番号が前記第１の記憶手段にも前記第２の記憶手段にも記憶されていない場合、画像データを受信し、受信した画像データをユーザからの印刷指示に従って印刷するよう制御することを特徴とする印刷装置の制御方法。
【請求項１３】
通信相手の電話番号が前記第１の記憶手段に記憶されている場合、画像データを受信する前に回線を切断するよう制御することを特徴とする請求項１２に記載の印刷装置の制御方法。
【請求項１４】
通信相手の電話番号が前記第１の記憶手段にも前記第２の記憶手段にも記憶されていない場合、受信した画像データを保存手段に保存するよう制御することを特徴とする請求項１２または１３に記載の印刷装置の制御方法。
【請求項１５】
前記保存手段に保存された画像データを表示することを特徴とする請求項１０に記載の印刷装置の制御方法。
【請求項１６】
前記保存手段によって保存された画像データを印刷するための印刷指示をユーザから受け付けたことに従って、当該画像データを送信した通信相手の電話番号を、前記第２の記憶手段へ新たに記憶することを特徴とする請求項１４または１５に記載の印刷装置の制御方法。
【請求項１７】
前記保存手段によって保存された画像データを削除するための削除指示をユーザから受け付けたことに従って、当該画像データを送信した通信相手の電話番号を、前記第１の記憶手段へ新たに記憶することを特徴とする請求項１４または１５に記載の印刷装置の制御方法。
【請求項１８】
画像データの受信を禁止する電話番号を記憶する第１の記憶手段と、
ユーザから印刷指示なしに画像データを印刷する電話番号を記憶する第２の記憶手段とを有する印刷装置の制御方法であって、
通信相手の電話番号が前記第１の記憶手段に記憶されている場合、画像データの受信を禁止し、通信相手の電話番号が前記第１の記憶手段に記憶されている場合、画像データを受信し、受信した画像データをユーザからの印刷指示なしに印刷し、通信相手の電話番号が前記第１の記憶手段にも前記第２の記憶手段にも記憶されていない場合、画像データを受信し、受信した画像データをユーザからの転送指示に従って転送するよう制御することを特徴とする印刷装置の制御方法。
【請求項１９】
請求項１２から１８のいずれか１項に記載の印刷装置の制御方法を、コンピュータに実行させるためのプログラム。
【手続補正２】
【補正対象書類名】明細書
【補正対象項目名】０００９
【補正方法】変更
【補正の内容】
【０００９】
本発明に係る印刷装置は、画像データの受信を禁止する電話番号を記憶する第１の記憶手段と、ユーザからの印刷指示なしに画像データを印刷する電話番号を記憶する第２の記憶手段と、通信相手の電話番号が前記第１の記憶手段に記憶されている場合、画像データの受信を禁止し、通信相手の電話番号が前記第２の記憶手段に記憶されている場合、画像データを受信し、受信した画像データをユーザからの印刷指示なしに印刷し、通信相手の電話番号が前記第１の記憶手段にも前記第２の記憶手段にも記憶されていない場合、画像データを受信し、受信した画像データをユーザからの印刷指示に従って印刷するよう制御する制御手段と、を有することを特徴とする。